(57)【特許請求の範囲】
【請求項１】
燃料ガスと酸化ガスとの電気化学反応により発電する燃料電池と、
燃料電池に酸化ガスを供給または排出するための酸化ガス流路と、を備える燃料電池システムであって、
酸化ガス流路を構成する第１のガス流路に設けられた第１の遮断弁と、
第１のガス流路の迂回路である第２のガス流路に設けられた第２の遮断弁と、
制御部と、を備え、
制御部は、燃料電池の発電停止時に、第１の遮断弁と第２の遮断弁との両方を遮断することにより、燃料電池のカソード側電極側の流路のガス上流側または下流側を遮断し、
第１の遮断弁と第２の遮断弁とのうち一方の遮断弁が、内部のすべての圧力室が同圧であるノーマル状態において開弁状態となるノーマルオープン型の遮断弁であり、かつ、流体の圧力差で駆動する弁であり、
さらに、一方の遮断弁に圧力差発生用の流体を供給するための圧力制御用流路と、
圧力制御用流路内の圧力を維持するために使用する、非作動時に流路を遮断するノーマルクローズ型電磁弁と、を備え、
ノーマルクローズ型電磁弁は、燃料電池の発電停止時に、圧力制御用流路内の圧力を維持することにより、一方の遮断弁を閉弁状態とすることを特徴とする燃料電池システム。
【請求項２】
請求項１に記載の燃料電池システムにおいて、
第１の遮断弁と第２の遮断弁とのうち他方の遮断弁が、ノーマル状態において閉弁状態となるノーマルクローズ型の遮断弁であり、かつ、流体の圧力差で駆動する弁であることを特徴とする燃料電池システム。
【請求項３】
燃料ガスと酸化ガスとの電気化学反応により発電する燃料電池と、
燃料電池に酸化ガスを供給または排出するための酸化ガス流路と、を備える燃料電池システムであって、
酸化ガス流路のうち、酸化ガス供給流路を構成する第１のガス流路に設けられた第１の遮断弁と、
第１のガス流路の迂回路である第２のガス流路に設けられた第２の遮断弁と、
制御部と、を備え、
制御部は、燃料電池の発電停止時に、第１の遮断弁と第２の遮断弁との両方を遮断することにより、燃料電池のカソード側電極側の流路のガス上流側を遮断し、
制御部は、始動時において、第１の遮断弁と第２の遮断弁とのうち一方の遮断弁に異常が発生したことが検知された場合に、他方の遮断弁を開弁し、他方の遮断弁が設けられた流路を通じて酸化ガスを燃料電池に供給することを特徴とする燃料電池システム。
【請求項４】
請求項３に記載の燃料電池システムにおいて、
制御部は、一方の遮断弁の異常を、圧力検出手段に検知された圧力値または遮断弁を駆動するために設けられた電磁弁の状況から検知することを特徴とする燃料電池システム。
【請求項５】
燃料ガスと酸化ガスとの電気化学反応により発電する燃料電池と、
燃料電池に酸化ガスを供給するための酸化ガス供給流路と、を備える燃料電池システムであって、
酸化ガス供給流路を構成する第１のガス流路に設けられた第１の遮断弁と、
第１のガス流路の迂回路である第２のガス流路に設けられた第２の遮断弁と、
制御部と、を備え、
制御部は、燃料電池の発電停止時に、第１の遮断弁と第２の遮断弁との両方を遮断することにより、燃料電池のカソード側電極側の流路のガス上流側を遮断し、
第１の流路は加湿器を通過する本経路であり、
第２の流路は加湿器を迂回する加湿器バイパス経路であり、
制御部は、燃料電池の発電停止指令を受けた後に燃料電池に酸化ガスを供給する掃気処理時に、加湿器バイパス経路に設けられた第２の遮断弁が開放されない場合に、本経路に設けられた第１の遮断弁を通じて燃料電池に酸化ガスを供給する掃気処理制御手段を備えることを特徴とする燃料電池システム。
【発明の詳細な説明】
【技術分野】
【０００１】
本発明は、燃料ガスと酸化ガスとの電気化学反応により発電する燃料電池を備える燃料電池システムに関する。
【背景技術】
【０００２】
燃料電池システムは、燃料ガスと酸化ガスとの反応ガスの電気化学反応により発電する燃料電池と、燃料電池に反応ガスを供給するための反応ガス供給流路と、燃料電池から反応ガスを排出するための反応ガス系排出流路とを備える。また、このような反応ガス供給流路と、反応ガス系排出流路とに、燃料電池用遮断弁を設けることも考えられている。
【０００３】
例えば、特許文献１に記載された燃料電池システムは、燃料電池スタックから反応ガス系ガスを排出する反応ガス系排出流路に設けた遮断弁と、燃料電池スタックに燃料ガスを供給する燃料ガス供給流路に設けた三方切替弁と、燃料電池スタックに空気を供給する酸化ガス系供給流路に設けた弁とに、アキュムレータを通じて空気を供給し、パイロット弁である各弁の切り替えを行うようにしている。
【０００４】
また、特許文献２に記載された燃料電池システムの場合、燃料電池本体に燃料ガスを供給する燃料ガス供給流路にガスの流れに関して並列に配置された２本の流路と、２本の流路に設けられた流量制御弁とを備える。また、ＥＣＵは、流量制御弁を制御し、流量制御弁の故障検知のため、一方を閉弁状態として他方だけを作動させる。そして、流量制御弁の作動時に測定される流量が規定値よりも大きい場合には、他方の流量制御弁が開弁した状態で故障していると判断し、規定値よりも小さい場合には、他方の流量制御弁が閉弁した状態で故障していると判断する。そして、いずれかの流量制御弁が開弁状態で故障していると判断された場合には、リーク相当発電量の電力の一部を二次電池の充電に使用し、残りを負荷に供給する。また、いずれかの流量制御弁が閉弁状態で故障していると判断された場合には、正常弁の最大制御流量が要求ガス量未満である場合に、正常弁を要求ガス量に制御するとともに、ＥＣＵは、不足電力を二次電池から負荷に供給する。
【０００５】
また、特許文献３に記載された燃料電池システムの場合、酸化ガスを燃料電池に供給する酸化ガス供給流路は、加湿器を通過する本経路と、加湿器を迂回する加湿器バイパス経路とを備える。そして本経路と加湿器バイパス経路とのそれぞれに、外部から与えられた流量設定信号に応じてガスの質量流量を自動制御するＭＦＣまたは電動弁を設けている。特許文献３には、停止時に、本経路と加湿器バイパス経路とをＭＦＣまたは電動弁により遮断することは開示されていない。
【０００６】
【特許文献１】特開２０００−３７１７号公報
【特許文献２】特開２００５−３０２５６３号公報
【特許文献３】特開平７−２３５３２４号公報
【発明の開示】
【発明が解決しようとする課題】
【０００７】
上記の特許文献１に記載された燃料電池システムの場合、エアコンプレッサからの空気は、ガスの流れに関して並列に分岐しない単一の経路により、電池スタックに供給される。また、電池スタックからは、やはりガスの流れに関して並列に分岐しない単一の経路を通じて空気ガス系ガスが排出される。また、燃料電池システムに、電池スタックに空気を供給する酸化ガス供給流路と、電池スタックから空気系ガスを排出する酸化ガス系排出流路とを設け、酸化ガス供給流路と酸化ガス系排出流路とに弁と遮断弁とを設けている。このため、弁や遮断弁が氷点下等低温環境で使用される等により弁体周辺部が凍結等により固着する等、閉状態で故障した場合に、電池スタックに空気を供給したり、電池スタックから空気系ガスを排出することが困難になる。この場合には、遮断弁の故障により、燃料電池システムの運転が自動的に停止してしまう。
【０００８】
さらに、酸化ガス供給流路または酸化ガス系排出流路に設ける弁または遮断弁が燃料電池システムの停止時に開弁されている場合には、電池スタックに設ける触媒をカーボンにより保持している場合にカーボンが早期に酸化して、燃料電池システムが早期に寿命に達したり、電池スタックの発電性能が低下する可能性がある。
【０００９】
これに対して、特許文献２に記載された燃料電池システムの場合、燃料電池本体に燃料ガスを供給する燃料ガス供給流路に、ガスの流れに関して並列に配置された２本の流路と、２本の流路に設けられた流量制御弁とを備えるが、酸化ガス供給流路または酸化ガス系排出流路に、ガスの流れに関して並列に２本の流路を設けることは開示されていない。このため、酸化ガス供給流路または酸化ガス系排出流路に設けた弁の故障時に、燃料電池システムが自動的に運転停止されてしまう。また、運転停止時に、酸化ガス供給流路を通じて燃料電池本体に新たな空気が供給されると、燃料電池本体を構成する触媒をカーボンにより保持している場合にカーボンが早期に酸化して、燃料電池システムが早期に寿命に達したり、燃料電池の発電性能が低下する可能性がある。
【００１０】
また、特許文献３に記載された燃料電池システムの場合、酸化ガス供給流路が本経路と加湿器バイパス経路とを備え、本経路と加湿器バイパス経路とのそれぞれに弁を設けている。ただし、システムの停止時にそれぞれの弁の開閉状態を工夫して、システムの寿命向上を図れるようにすることは考慮されていない。また、本経路と加湿器バイパス経路とに設けたいずれかの弁の故障時でも、燃料電池システムの運転を可能とすることは考慮されていない。
【００１１】
本発明の目的は、燃料電池システムにおいて、寿命を向上させるとともに、良好な発電性能を長期間に確保し、かつ、弁の故障時でも運転を可能とすることにある。
【課題を解決するための手段】
【００１２】
本発明に係る燃料電池システムは、燃料ガスと酸化ガスとの電気化学反応により発電する燃料電池と、燃料電池に酸化ガスを供給または排出するための酸化ガス流路と、を備える燃料電池システムであって、酸化ガス流路を構成する第１のガス流路に設けられた第１の遮断弁と、第１のガス流路の迂回路である第２のガス流路に設けられた第２の遮断弁と、制御部と、を備え、制御部は、燃料電池の発電停止時に、第１の遮断弁と第２の遮断弁との両方を遮断することにより、燃料電池のカソード側電極側の流路のガス上流側または下流側を遮断し、第１の遮断弁と第２の遮断弁とのうち一方の遮断弁が、内部のすべての圧力室が同圧であるノーマル状態において開弁状態となるノーマルオープン型の遮断弁であり、かつ、流体の圧力差で駆動する弁であり、さらに、一方の遮断弁に圧力差発生用の流体を供給するための圧力制御用流路と、圧力制御用流路内の圧力を維持するために使用する、非作動時に流路を遮断するノーマルクローズ型電磁弁と、を備え、ノーマルクローズ型電磁弁は、燃料電池の発電停止時に、圧力制御用流路内の圧力を維持することにより、一方の遮断弁を閉弁状態とすることを特徴とする燃料電池システムである。
【００１６】
また、本発明に係る燃料電池システムは、燃料ガスと酸化ガスとの電気化学反応により発電する燃料電池と、燃料電池に酸化ガスを供給または排出するための酸化ガス流路と、を備える燃料電池システムであって、酸化ガス流路のうち、酸化ガス供給流路を構成する第１のガス流路に設けられた第１の遮断弁と、第１のガス流路の迂回路である第２のガス流路に設けられた第２の遮断弁と、制御部と、を備え、制御部は、燃料電池の発電停止時に、第１の遮断弁と第２の遮断弁との両方を遮断することにより、燃料電池のカソード側電極側の流路のガス上流側を遮断し、制御部は、始動時において、第１の遮断弁と第２の遮断弁とのうち一方の遮断弁に異常が発生したことが検知された場合に、他方の遮断弁を開弁し、他方の遮断弁が設けられた流路を通じて酸化ガスを燃料電池に供給することを特徴とする燃料電池システムである。
【００１７】
また、より好ましくは、制御部は、一方の遮断弁の異常を、圧力検出手段に検知された圧力値または遮断弁を駆動するために設けられた電磁弁の状況から検知する。
【００１８】
また、本発明に係る燃料電池システムは、燃料ガスと酸化ガスとの電気化学反応により発電する燃料電池と、燃料電池に酸化ガスを供給または排出するための酸化ガス流路と、を備える燃料電池システムであって、酸化ガス流路を構成する第１のガス流路に設けられた第１の遮断弁と、第１のガス流路の迂回路である第２のガス流路に設けられた第２の遮断弁と、制御部と、を備え、制御部は、燃料電池の発電停止時に、第１の遮断弁と第２の遮断弁との両方を遮断することにより、燃料電池のカソード側電極側の流路のガス上流側または下流側を遮断し、第１の流路は加湿器を通過する本経路とし、第２の流路は加湿器を迂回する加湿器バイパス経路とし、制御部は、燃料電池の発電停止指令を受けた後に燃料電池に酸化ガスを供給する掃気処理時に、加湿器バイパス経路に設けられた第２の遮断弁が開放されない場合に、本経路に設けられた第１の遮断弁を通じて燃料電池に酸化ガスを供給する掃気処理制御手段を備えることを特徴とする燃料電池システムである。
【発明の効果】
【００１９】
本発明に係る燃料電池システムによれば、酸化ガス流路を構成する第１のガス流路に設けられた第１の遮断弁と、第１のガス流路の迂回路である第２のガス流路に設けられた第２の遮断弁と、制御部と、を備え、制御部は、燃料電池の発電停止時に、第１の遮断弁と第２の遮断弁との両方を遮断することにより、燃料電池のカソード側電極側の流路のガス上流側または下流側を遮断するので、燃料電池に設ける触媒をカーボンにより保持している場合でも、運転停止中に燃料電池内に新たな空気を導入されにくくして、カーボンが早期に酸化するのを抑えることができる。このため、燃料電池システムの寿命の向上を図れるとともに、良好な発電性能を長期に確保できる。また、第１の遮断弁と第２の遮断弁とのうち、一方の弁の故障時に他方の弁を使用することにより、燃料電池システムの運転を可能とすることができる。例えば、第１の遮断弁が閉弁状態で故障した場合でも、第２の遮断弁を開放することにより、燃料電池に新たなガスを供給でき、燃料電池を発電させることができる。また、第１の遮断弁と第２の遮断弁とのうち一方の遮断弁を、内部のすべての圧力室が同圧であるノーマル状態において開弁状態となるノーマルオープン型の遮断弁とし、かつ、流体の圧力差で駆動する弁とし、さらに、一方の遮断弁に圧力差発生用の流体を供給するための圧力制御用流路と、圧力制御用流路内の圧力を維持するために使用する、非作動時に流路を遮断するノーマルクローズ型電磁弁と、を備え、ノーマルクローズ型電磁弁は、燃料電池の発電停止時に、圧力制御用流路内の圧力を維持することにより、一方の遮断弁を閉弁状態とするので、発電停止中にノーマルオープン型の一方の遮断弁の遮断を継続するための電力が不要になり、低燃費化を図れる。
【発明を実施するための最良の形態】
【００２３】
［第１の発明の実施の形態］
以下、本発明の実施の形態を図面に基づいて説明する。図１から図５は、本発明の第１の実施の形態を示しており、図１は、本実施の形態に係る燃料電池システムの略構成図である。燃料電池システム１０は、燃料電池スタック１２と、酸化ガス供給流路１４および酸化ガス系排出流路１６と、第２の遮断弁である加湿器バイパス弁１８と、第１の遮断弁である入口シャット弁２０と、出口シャット弁２２とを備える。
【００２４】
燃料電池スタック１２は、酸素と水素との電気化学反応により発電する。すなわち、燃料ガスである水素ガスと、酸化ガスである空気とを燃料電池スタック１２に供給することにより、燃料電池スタック１２内の図示しない複数の燃料電池セルにおいて、酸素と水素とが電気化学反応して電気エネルギーが得られる。燃料電池セルは、例えば、電解質膜をアノード側電極とカソード側電極とにより狭持して成る膜−電極アセンブリと、その両側のセパレータを備えるものとする。
【００２５】
なお、本実施形態の燃料電池システム１０は、例えば燃料電池車用として車両に搭載し、燃料電池スタック１２を、車両走行用モータの電源として使用する。もちろん、本実施の形態の燃料電池システムを、車両走行用以外の用途に使用することもできる。
【００２６】
酸化ガスである空気を燃料電池スタック１２に供給するために酸化ガス供給流路１４を設けている。酸化ガス供給流路１４のガス上流側にはエアコンプレッサ２４とインタークーラ２６とを設けている。エアコンプレッサ２４により加圧された空気は、インタークーラ２６で冷却され、加湿器２８で加湿された後、燃料電池スタック１２のカソード側電極側の流路に供給される。
【００２７】
また、空気を、加湿器２８を通過させてから燃料電池スタック１２に供給するための第１のガス流路である本経路３０とは別に、本経路３０とガスの流れに関して並行に、第２のガス流路であり、本経路３０の迂回路である加湿器バイパス経路３２を設けている。加湿器バイパス経路３２を通過する空気は、加湿器２８を通過せずに、燃料電池スタック１２に供給される。加湿器バイパス経路３２の途中に、加湿器バイパス弁１８を設けている。
【００２８】
また、燃料電池スタック１２に供給され、各燃料電池セルで電気化学反応に供された後の空気である空気オフガスを、燃料電池スタック１２から排出するために、酸化ガス系排出流路１６を設けている。酸化ガス系排出流路１６を通じて排出される空気オフガスは、調圧弁３４を介して加湿器２８に送られ、その後、図示しない希釈器を介して大気に放出される。調圧弁３４は、燃料電池スタック１２から排出される空気の圧力（背圧）が、燃料電池スタック１２の運転状態に応じた適切な圧力値になるように制御される。すなわち、調圧弁３４の弁開度によって酸化ガス系排出流路１６内の圧力センサＰ２の位置に対応する空気の圧力が調整される。また、加湿器２８は、燃料電池スタック１２から排出された後の空気から得た水分を、燃料電池スタック１２に供給される前の空気に与えて、加湿する役目を果たす。
【００２９】
なお、燃料電池スタック１２には、水素ガスを供給するための水素ガス供給流路と水素ガス系ガスを排出するための水素ガス系排出流路とを接続しているが、図１では図示を省略している。
【００３０】
また、酸化ガス供給流路１４の本経路３０において、加湿器バイパス経路３２の上流側接続部と加湿器２８との間、および、酸化ガス系排出流路１６において、加湿器２８よりもガス下流側の間に、ガスの流れに関して燃料電池スタック１２と並行になるように、燃料電池バイパス経路３６を接続している。そして、燃料電池バイパス経路３６の途中に燃料電池バイパス弁３８を設けている。燃料電池バイパス弁３８は、燃料電池スタック１２へ供給される空気の圧力を制御するために利用される。すなわち、燃料電池バイパス弁３８の弁開度により、酸化ガス供給流路１４の入口圧力センサＰ１の位置に対応する空気の圧力が調整される。なお、エアコンプレッサ２４から吐出される空気の流量により、入口圧力センサＰ１位置に対応する空気圧力を調整することもできる。もちろん、燃料電池バイパス弁３８の弁開度と、エアコンプレッサ２４による吐出流量との両方を利用して、入口圧力センサＰ１位置に対応する空気圧力を調整することもできる。
【００３１】
また、燃料電池システム１０は、氷点下等の低温始動時において、燃料電池スタック１２を速やかに温度上昇させることが好ましい。そして、このために、燃料電池スタック１２に供給される水素ガスの量に比べて、燃料電池スタック１２に供給される空気の量を、水素ガスとの反応により発電するのに見合う量よりも少なくし、すなわちカソードストイキ比を下げて、低効率で発電させ、燃料電池スタック１２を速やかに温度上昇させることが考えられる。ただし、この場合には、燃料電池スタック１２のアノード側の流路から電解質膜を介して水素がカソード側の流路に入り込み、酸化ガス系排出流路１６内の水素濃度が高くなる可能性がある。上記の燃料電池バイパス弁３８は、このような場合に開弁状態として、燃料電池スタック１２を通過しない空気により、酸化ガス系排出流路１６内の水素濃度を低下させるために利用することもできる。
【００３２】
さらに、酸化ガス供給流路１４の本経路３０の加湿器２８よりもガス下流側と、酸化ガス系排出流路１６の加湿器２８よりもガス上流側とに、それぞれ入口シャット弁２０と出口シャット弁２２とを設けている。
【００３３】
すなわち、それぞれ燃料電池用弁であり、流路内の空気の流れを調整する流体制御弁である、入口シャット弁２０と出口シャット弁２２と、さらには上記の加湿器バイパス弁１８とには、圧力制御用流路４０を介して、それぞれがノーマルクローズ型電磁弁である、３つずつのＰＳＶ（Pressure Switching Valve）が接続されている。
【００３４】
すなわち、加湿器バイパス弁１８には、ＶｂＳ，ＶｂＣ，ＶｂＯの３つのＰＳＶが接続されている。また、入口シャット弁２０には、ＶｉＳ，ＶｉＣ，ＶｉＯの３つのＰＳＶが接続されており、出口シャット弁２２には、ＶｏＳ，ＶｏＣ，ＶｏＯの３つのＰＳＶが接続されている。これらのＰＳＶは、圧力制御用流路４０を介して、酸化ガス供給流路１４の本経路３０のガス上流側、例えばエアコンプレッサ２４と加湿器２８との間に接続される。これらのすべてのＰＳＶである、ＶｂＳ，ＶｂＣ，ＶｂＯ，ＶｉＳ，ＶｉＣ，ＶｉＯ，ＶｏＳ，ＶｏＣ，ＶｏＯは、図示しないＥＣＵ（Electronic Control Unit）等の制御部により制御される。加湿器バイパス弁１８と入口シャット弁２０と出口シャット弁２２とは、いずれも内部の圧力室に存在する流体である、ガスの圧力差で駆動する。また、圧力制御用流路４０は、上記各弁１８，２０，２２に圧力差発生用の流体であるガスを供給する。
【００３５】
次に、図２および図３により、入口シャット弁２０と、出口シャット弁２２との構成および作用を、主に入口シャット弁２０により代表して説明する。入口シャット弁２０と出口シャット弁２２との構成自体は、同じである。また、加湿器バイパス弁１８の構成は後で説明する。
【００３６】
図２に示すように、入口シャット弁２０は、内部に設けたすべての圧力室が同圧であるノーマル状態において、弁体が開く開弁状態となるノーマルオープン型のシャット弁としている。
【００３７】
入口シャット弁２０は、複数のハウジング要素を結合して成るハウジング４２の内部に仕切り部４４で仕切った上下２個の空間を設けており、２個の空間に、それぞれ主ダイヤフラム４６と副ダイヤフラム４８とを設けることにより、主ダイヤフラム４６の上面側に閉弁用圧力室５０を、同じく下面側に開弁用圧力室５２を、副ダイヤフラム４８の上面側に大気圧室５４を、同じく下面側に流路構成圧力室５６を、それぞれ設けている。閉弁用圧力室５０と開弁用圧力室５２と大気圧室５４と流路構成圧力室５６とは、互いに分離しており、これら圧力室５０，５２，５４，５６のうち、いずれの２の圧力室も内部で互いに連通していない。
【００３８】
また、主ダイヤフラム４６と副ダイヤフラム４８とは、弁体５８に結合している。すなわち、ハウジング４２の内部に駆動軸６０を有する弁体５８を備え、ハウジング４２に弁体５８を駆動軸６０の軸方向の変位可能に支持している。弁体５８は、駆動軸６０と、駆動軸６０の下端部に結合した円板状の弁体本体６２とを有する。また、駆動軸６０の中間部下端寄りに、外周面に駆動軸側円筒面部６３を有する有底円筒状の筒状部材６４を結合している。
【００３９】
また、筒状部材６４の底板部下面と弁体本体６２の上面との間に、ゴム等の弾性材製の副ダイヤフラム４８の内周側端部を狭持し、副ダイヤフラム４８の内周部を駆動軸６０に結合している。副ダイヤフラム４８の外周側端部は、ハウジング４２を構成する２個のハウジング要素により狭持するように、ハウジング４２の内周部に結合している。これにより、ハウジング４２内の仕切り部４４下側の空間の上側と下側とは、副ダイヤフラム４８により、大気圧室５４と流路構成圧力室５６とに分離される。
【００４０】
また、副ダイヤフラム４８の径方向中間部内径寄りに、駆動軸側円筒面部６３に沿って押し付けられるように弾性変形したダイヤフラム側円筒部６６を設けている。そして、図３に示すような閉弁状態から、副ダイヤフラム４８のうち、筒状部材６４の駆動軸側円筒面部６３とハウジング４２の内面との間に存在する、上方に山形の環状に変形した環状変形部６７の下面が流路構成圧力室５６の圧力を受けるようにしている。そして環状変形部６７の下面が流路構成圧力室５６の圧力を受けることにより、図２に示すように、ダイヤフラム側円筒部６６の上部を駆動軸側円筒面部６３から引き剥がすように弾性変形させつつ駆動軸６０が上方に変位するようにしている。
【００４１】
また、副ダイヤフラム４８の径方向中間部外径寄りに、ハウジング４２の内面に設けたハウジング側円筒面部６８に沿って押し付けられるように弾性変形した第２のダイヤフラム側円筒部７０を設けている。そして図２に示すような開弁状態から図３に示すように駆動軸６０が下方に変位する際に、第２のダイヤフラム側円筒部７０の上部をハウジング側円筒面部６８から引き剥がすように弾性変形するようにしている。
【００４２】
流路構成圧力室５６は、酸化ガス供給流路１４（図１参照）（出口シャット弁２２の場合は酸化ガス系排出流路１６）の一部を構成し、弁体５８によりガス上流側とガス下流側とが遮断または接続される。また、大気圧室５４には、一端を大気と連通させた大気連通管７２が接続されており、大気圧室５４が大気に開放されている。
【００４３】
また、弁体５８の上端部に２個の略円板状要素を結合してなる抑え部材７４が結合されており、２個の略円板状要素の間に、ゴム等の弾性材製の主ダイヤフラム４６の内周側端部を狭持している。主ダイヤフラム４６の外周側端部は、ハウジング４２を構成する２個のハウジング要素により狭持するように、ハウジング４２の内周部に結合している。これにより、ハウジング４２内の仕切り部４４上側の空間の上側と下側とは、主ダイヤフラム４６により、閉弁用圧力室５０と開弁用圧力室５２とに分離される。また、閉弁用圧力室５０と開弁用圧力室５２とに、給排管７６が接続されている。
【００４４】
さらに、抑え部材７４の下面と、仕切り部４４の上面との間に、弾力付与手段であるコイルばね７８を設けて、弁体５８に上方向、すなわち、開弁状態となる方向に弾力を付与している。弁体５８は下方向に変位することにより、弁体本体６２の下面が弁座８０に着座して、流路を遮断する。すなわち、駆動軸６０の軸方向の変位により、流路内が遮断または接続される。また、主ダイヤフラム４６を含む駆動軸６０上側の部分の受圧面積の直径は、副ダイヤフラム４８を含む駆動軸６０下側の部分の受圧面積の直径よりも十分に大きくしている。
【００４５】
このような入口シャット弁２０では、閉弁用圧力室５０を、給排管７６（図２、図３）を介して、ＰＳＶであるＶｉＣ側の圧力制御用流路４０に接続している。また、開弁用圧力室５２を、給排管７６を介して、ＰＳＶであるＶｉＯ側の圧力制御用流路４０に接続している。駆動軸６０の軸方向の変位により、主ダイヤフラム４６の中央部分が、上下に反り返るように変位する。
【００４６】
図２に示すように駆動軸６０の変位により、弁体５８が上向きに駆動されると、酸化ガス供給流路１４（図１）の上流側から入口シャット弁２０の入口８２に向かって流れる空気が、入口シャット弁２０の出口８４から燃料電池スタック１２（図１）側へ排出される。一方、駆動軸６０の変位により図３に示すように、弁体５８が下向きに駆動されると、出口８４が塞がれ、酸化ガス供給流路１４の上流側から燃料電池スタック１２に向かう空気の流れが遮断される。
【００４７】
なお、出口シャット弁２２の場合には、図１に示すように、入口シャット弁２０に対して、入口８２および出口８４が逆になる。そして、駆動軸６０（図２、図３）の変位により弁体５８が上方に駆動されると、酸化ガス系排出流路１６の上流側から出口シャット弁２２の入口８２に向かって流れる空気オフガスが、出口シャット弁２２の出口８４から加湿器２８側へ排出される。一方、駆動軸６０の変位により弁体５８が下向きに駆動されると、入口８２が塞がれ、酸化ガス系排出流路１６の上流側から加湿器２８に向かう空気オフガスの流れが遮断される。
【００４８】
駆動軸６０の軸方向の変位は、３つのＰＳＶによって制御される。すなわち、入口シャット弁２０の場合、ＶｉＳ，ＶｉＣ，ＶｉＯの３つのＰＳＶによって、開弁用圧力室５２と閉弁用圧力室５０との圧力が制御される。また、出口シャット弁２２の場合には、ＶｏＳ，ＶｏＣ，ＶｏＯの３つのＰＳＶによって開弁用圧力室５２と閉弁用圧力室５０との圧力が制御される。
【００４９】
図１に示す、ＶｉＳ（またはＶｏＳ）は、３ＷＡＹ、すなわち、三方弁式のＰＳＶであり、閉弁用圧力室５０と開弁用圧力室５２とのうちの一方の圧力室を選択的に、エアコンプレッサ２４のガス上流側と接続し、他方の圧力室とエアコンプレッサ２４のガス上流側との間を遮断する。また、ＶｉＣ，ＶｉＯ，ＶｏＣ，ＶｏＯは、いずれも２Ｗａｙ式のＰＳＶであり、排気用バルブ、すなわち圧抜き用バルブとして機能する。
【００５０】
また、ＶｉＳ（またはＶｏＳ）は、通電状態により流路の接続状態を変化させる。ＶｉＳ（またはＶｏＳ）は、通電されていない状態（非通電状態）において、エアコンプレッサ２４のガス吐出側と開弁用圧力室５２とを接続する。また、ＶｉＳ（またはＶｏＳ）は、通電された状態（通電状態）で、エアコンプレッサのガス吐出側と閉弁用圧力室５０とを接続する。また、ＶｉＣ，ＶｉＯ，ＶｏＣ，ＶｏＯは、いずれも非通電状態で弁を閉鎖し、通電状態で弁を開放する、すなわち非作動時に流路を遮断するノーマルクローズ型電磁弁である。
【００５１】
なお、図１から図３において、ＶｉＳ（ＶｏＳ），ＶｉＣ（ＶｏＣ），ＶｉＯ（ＶｏＯ）を表している複数の三角形のうち、黒で塗りつぶした三角形は流路を遮断した状態を示しており、白抜きの三角形は流路を接続した状態を表している（後述する図４、図５も同様）。
【００５２】
このような入口シャット弁２０および出口シャット弁２２は、燃料電池スタック１２の発電停止時に閉弁状態とする。次に、図４は、燃料電池スタックの発電を停止する際に、入口シャット弁２０（または出口シャット弁２２）を開弁状態（図２に示す状態）から閉弁状態（図３に示す状態）に移行させる場合を、入口シャット弁２０で代表して説明する。図４（ａ）に示すように、入口シャット弁２０を開弁している状態では、ＶｉＳ，ＶｉＣ，ＶｏＯをいずれも非通電状態としている。この状態では、エアコンプレッサ２４（図１）からの圧力上昇した空気が開弁用圧力室５２に圧力制御用流路４０を介して導入されている。なお、図４で、斜線部は、圧力上昇した空気が導入されることを表している（図５も同様）。
【００５３】
そして、この状態から、図４（ｂ）に示すように、ＶｉＳを通電状態とし、エアコンプレッサ２４（図１）からの圧力上昇した空気が、閉弁用圧力室５０に圧力制御用流路４０を介して導入されるようにする。また、ＶｉＯを通電状態、すなわち開弁状態として、開弁用圧力室５２を大気に開放する。この結果、閉弁用圧力室５０の圧力と開弁用圧力室５２の圧力（大気圧）との間に生じる圧力差により駆動軸６０に下方に向かう第１の力Ｆ１が作用する。一方、流路構成圧力室５６にも、エアコンプレッサ２４により圧力上昇した空気が導入されるため、流路構成圧力室５６の圧力と大気に連通する大気圧室５４の圧力との間に生じる圧力差により、駆動軸６０に第１の力Ｆ１と逆方向の、上方に向かう第２の力Ｆ２が作用する。ただし、本実施の形態の場合、図２、図３に示すように、主ダイヤフラム４６を含む駆動軸６０上側の部分の受圧面積の直径を、副ダイヤフラム４８を含む駆動軸６０下側の部分の受圧面積の直径よりも十分に大きくしている。このため、図４（ｂ）、図３に示すように、駆動軸６０が第２の力Ｆ２とコイルばね７８（図３）の弾力とに抗して下方に変位して、弁体本体６２が弁座８０に着座する。
【００５４】
そしてこの状態で、図４（ｃ）に示すように、ＶｉＳを非通電状態にし、すなわち、エアコンプレッサ２４吐出側が開弁用圧力室５２に通じるようにする。ただし、ＶｉＯが開弁しているため、開弁用圧力室５２内の圧力は上昇しない。この結果、閉弁用圧力室５０内の圧力と、閉弁用圧力室５０に通じる圧力制御用流路４０内の圧力とが高圧に維持されたままの状態となる。このように、ＶｉＳとＶｉＣとは、圧力制御用流路４０内の圧力を維持するために使用される。
【００５５】
次いで、エアコンプレッサ２４の駆動を停止した後に、図４（ｄ）に示すように、ＶｉＯを非通電状態、すなわち閉弁状態とする。この場合、開弁用圧力室５２内の圧力が低下するため、閉弁用圧力室５０内の圧力が開弁用圧力室５２内の圧力よりも大きい状態が維持されたままとなる。このため、ＶｉＳ，ＶｉＣ，ＶｉＯすべてのＰＳＶが非通電状態となり、しかも入口シャット弁２０がノーマルオープン型であるのにもかかわらず、この入口シャット弁２０を閉弁状態のまま維持できる。このように、ＶｉＳとＶｉＣとは、閉弁用圧力室５２に通じる圧力制御用流路４０内の圧力を維持することにより、ノーマルオープン型の入口シャット弁２０を閉弁状態にする。また、同様にして、ノーマルオープン型の出口シャット弁２２（図１）も、ＶｏＳ，ＶｏＣ，ＶｏＯを制御することにより、燃料電池スタック１２の発電停止の際に、開弁状態から閉弁状態に変化させ、ＶｏＳ，ＶｏＣ，ＶｏＯのすべてのＰＳＶの非通電状態で、閉弁状態を維持する。
【００５６】
一方、図１に示す加湿器バイパス弁１８は、内部に設けたすべての圧力室がすべて同圧であるノーマル状態において、弁体５８が閉じる閉弁状態となるノーマルクローズ型のシャット弁としている。加湿器バイパス弁１８の詳細構造の図示は省略するが、図２、図３に示した入口シャット弁２０または出口シャット弁２２と同様の構造で、コイルばね７８（図２、図３参照）を、筒状部材６４の底板部上面と仕切り部４４下面との間に設けたような構造を有する。なお、加湿器バイパス弁１８においては、抑え部材７４（図２、図３参照）等の、弁体５８の上端部に固定した部材の上面とハウジング４２の下面との間に、コイルばねを設けて、ノーマルクローズ型のシャット弁とすることもできる（図１の略図参照）。
【００５７】
このような加湿器バイパス弁１８は、図１に示すように、ＰＳＶのＶｂＣ側の圧力制御用流路４０に閉弁用圧力室５０を、ＰＳＶのＶｂＯ側の圧力制御用流路４０に開弁用圧力室５２を、それぞれ接続している。
【００５８】
駆動軸６０の変位により弁体５８が上向きに駆動されると、加湿器バイパス経路３２の上流側から加湿器バイパス弁１８の入口８２に向かって流れる空気が、加湿器バイパス弁１８の出口８４から燃料電池スタック１２側へ排出される。一方、駆動軸６０の変位により弁体５８が下向きに駆動されると、出口８４が塞がれ、加湿器バイパス経路３２の上流側から燃料電池スタック１２に向かう空気の流れが遮断される。
【００５９】
駆動軸６０の軸方向の変位は、入口シャット弁２０、出口シャット弁２２の場合と同様に、３つのＰＳＶである、ＶｂＳ，ＶｂＣ，ＶｂＯによって制御される。なお、図１において、ＶｂＳ，ＶｂＣ，ＶｂＯを表している複数の三角形のうち、黒で塗りつぶした三角形は流路を遮断した状態を示しており、白抜きの三角形は流路を接続した状態を表している。
【００６０】
また、ＶｂＳは、通電状態により流路の接続状態を変化させる。ＶｂＳは、通電されていない状態（非通電状態）において、エアコンプレッサ２４のガス吐出側と閉弁用圧力室５０とを接続し、通電された状態（通電状態）で、エアコンプレッサ２４のガス吐出側と開弁用圧力室５２とを接続する。また、ＶｂＣ，ＶｂＯは、いずれも非通電状態で弁を閉鎖し、通電状態で弁を開放する、すなわち非作動時に流路を遮断するノーマルクローズ型電磁弁である。
【００６１】
このような加湿器バイパス弁１８は、燃料電池スタック１２の発電停止時に閉弁状態とする。このように加湿器バイパス弁１８を閉弁状態とする場合、図１に示すように、コイルばねの弾力により、弁体５８を弁座に押し付けた状態で、ＶｂＳ，ＶｂＣ，ＶｂＯのすべてを非通電状態とする。
【００６２】
なお、加湿器バイパス弁１８は、エアコンプレッサ２４により圧力上昇した空気を閉弁用圧力室５０に導入するとともに、開弁用圧力室５２を大気に開放することによっても、閉弁状態とできる。この際、開弁用圧力室５２と閉弁用圧力室５０とでの圧力差により駆動軸６０に下方に作用する力と、コイルばねの弾力とにより、駆動軸６０が下方に駆動する。この場合、流路構成圧力室５６と大気圧室５４との圧力差により駆動軸６０に上方に力が作用するが、主ダイヤフラム４６（図２、図３参照）を含む駆動軸６０上側の部分の受圧面積の直径を、副ダイヤフラム４８（図２、図３参照）を含む駆動軸６０下側の部分の受圧面積の直径よりも十分に大きくしていることと、コイルばねの弾力とが相まって、駆動軸６０は下方に変位する。そして、加湿器バイパス弁１８が閉弁する。
【００６３】
上記のように、加湿器バイパス弁１８、入口シャット弁２０、出口シャット弁２２の圧力を制御するためのＰＳＶである、ＶｂＳ，ＶｂＣ，ＶｂＯ，ＶｉＳ，ＶｉＣ，ＶｉＯ，ＶｏＳ，ＶｏＣ，ＶｏＯは、ＥＣＵ等の制御部により制御される。すなわち、制御部は、燃料電池スタック１２の発電停止時に、入口シャット弁２０と加湿器バイパス弁１８と出口シャット弁２２とのすべてを遮断、すなわち閉弁状態とすることにより、燃料電池スタック１２のカソード側電極側の流路のガス上流側とガス下流側とを密に遮断する。
【００６４】
次に、入口シャット弁２０および出口シャット弁２２を、燃料電池スタック１２の発電運転開始時に閉弁状態から開弁状態とする場合の作用を、図５を用いて、入口シャット弁２０により代表して説明する。図５（ａ）は、上記の図４（ｄ）に対応する。入口シャット弁２０を開弁する場合、図５（ａ）で、ＶｉＳを非通電状態としたまま、エアコンプレッサ２４（図１参照）を始動させ、その後、図５（ｂ）に示ように、ＶｉＣを通電状態とし、すなわち開弁状態として、閉弁用圧力室５０を大気に開放する。これによって、閉弁用圧力室５０内の圧力上昇した空気が大気に放出され、圧力が低下する。また、エアコンプレッサ２４からの圧力上昇した空気が圧力制御用流路４０を通じて開弁用圧力室５２に導入される。これにより、開弁用圧力室５２の圧力と閉弁用圧力室５０の圧力（大気圧）との間に圧力差が生じる。
【００６５】
また、流路構成圧力室５６にもエアコンプレッサ２４から圧力上昇した空気が導入されるため、流路構成圧力室５６の圧力と、大気に連通する大気圧室５４の圧力との間にも圧力差が生じる。流路構成圧力室５６の圧力は、図３に示す副ダイヤフラム４８の環状変形部６７の下面に加わる。このため、副ダイヤフラム４８が筒状部材６４を押し上げて、図２、図５（ｂ）に示すように、駆動軸６０が上方に変位する。この結果、駆動軸６０は、流路構成圧力室５６と大気圧室５４とでの圧力差により駆動軸６０に上方に作用する第３の力Ｆ３と、閉弁用圧力室５０と開弁用圧力室５２とでの圧力差により駆動軸６０に上方に作用する第４の力Ｆ４との両方の力Ｆ３、Ｆ４と、コイルばね７８（図２、図３）の弾力とにより、上方に駆動する。
【００６６】
また、入口シャット弁２０が開弁しきった状態で、ＶｉＣを非通電状態、すなわち閉弁状態として、閉弁用圧力室５０と大気との間を遮断する。そして、ＶｉＳ，ＶｉＣ，ＶｉＯのすべてのＰＳＶの非通電状態で、開弁状態を維持する。また、同様にして、出口シャット弁２２（図１）の場合も、ＶｏＣを制御することにより、燃料電池スタック１２の発電運転開始時に、閉弁状態から開弁状態に変化させ、ＶｏＳ，ＶｏＣ，ＶｏＯのすべてのＰＳＶの非通電状態で、開弁状態を維持する。
【００６７】
一方、図１に示す加湿器バイパス弁１８を開弁する場合、エアコンプレッサ２４により圧力上昇した空気を開弁用圧力室５２に導入するとともに、閉弁用圧力室５０を大気に開放する。この結果、エアコンプレッサ２４により圧力上昇した空気が導入される流路構成圧力室５６と大気圧室５４（図２、図３参照）とでの圧力差により駆動軸６０（図２、図３参照）に上方に作用する第３の力Ｆ３´と、閉弁用圧力室５０と開弁用圧力室５２とでの圧力差により駆動軸６０に上方に作用する第４の力Ｆ４´との両方の力Ｆ３´、Ｆ４´により、駆動軸６０がコイルばねの弾力に抗して上方に駆動する。そして、加湿器バイパス弁１８が開弁する。
【００６８】
上記のような燃料電池システムによれば、酸化ガス供給流路１４を構成する本経路３０に設けた入口シャット弁２０と、加湿器バイパス経路３２に設けた加湿器バイパス弁１８と、制御部と、を備え、制御部は、燃料電池スタック１２の発電停止時に、入口シャット弁２０と加湿器バイパス弁１８との両方を遮断することにより、燃料電池スタック１２のカソード側電極側の流路のガス上流側を遮断する構成を備える。このため、燃料電池スタック１２に設ける触媒をカーボンにより保持している場合でも、運転停止中に燃料電池スタック１２内に新たな空気を導入されにくくして、カーボンが早期に酸化するのを抑えることができる。このため、燃料電池システム１０の寿命の向上を図れるとともに、良好な発電性能を長期に確保できる。
【００６９】
また、入口シャット弁２０と加湿器バイパス弁１８とのうち、一方の弁の故障時に他方の弁を使用することにより、燃料電池システム１０の運転を可能とすることができる。例えば、入口シャット弁２０が閉弁状態で故障した場合でも、加湿器バイパス弁１８を開放することにより、燃料電池スタック１２に新たな空気を供給でき、燃料電池スタック１２を発電させることができる。
【００７０】
この結果、燃料電池システム１０の寿命向上を図れるとともに、良好な発電性能を長期に確保して、かつ、入口シャット弁２０または加湿器バイパス弁１８の故障時でも運転を可能とすることができる。
【００７１】
また、本実施の形態の場合、発電運転を停止した放置中、すなわち、入口シャット弁２０、出口シャット弁２２、加湿器バイパス弁１８のそれぞれに対応するすべての３つずつのＰＳＶの非通電状態で、入口シャット弁２０と出口シャット弁２２と加湿器バイパス弁１８とを、いずれも閉弁状態に維持できる。このため、燃料電池スタック１２のカソード側電極側の内部の流路に新たな空気が供給されることをより有効に防止できる。
【００７２】
また、加湿器バイパス弁１８を、内部のすべての圧力室が同圧であるノーマル状態において、閉弁状態となるノーマルクローズ型の遮断弁とし、入口シャット弁２０および出口シャット弁２２を、ノーマル状態において開弁状態となるノーマルオープン型の遮断弁とする構成において、加湿器バイパス弁１８と入口シャット弁２０と出口シャット弁２２とは、流体の圧力差で駆動する弁とし、ノーマルオープン型の入口シャット弁２０および出口シャット弁２２に圧力差発生用の流体を供給するための圧力制御用流路４０と、圧力制御用流路４０内の圧力を維持するために使用する、非作動時に流路を遮断するノーマルクローズ型電磁弁であるＶｉＳ，ＶｉＣ，ＶｉＯ，ＶｏＳ，ＶｏＣ，ＶｏＯと、を備え、入口シャット弁２０、出口シャット弁２２は、燃料電池スタック１２の発電停止時に、圧力制御用流路４０内の圧力を維持することにより、入口シャット弁２０および出口シャット弁２２を閉弁状態とする。このため、発電停止中にノーマルオープン型の入口シャット弁２０および出口シャット弁２２の遮断を継続するための電力が不要になり、低燃費化を図れる。
【００７３】
また、入口シャット弁２０および出口シャット弁２２をノーマルオープン型としているため、ＶｉＳ（またはＶｏＳ）の故障時でもＶｉＣ（またはＶｏＣ）を作動させることにより、入口シャット弁２０または出口シャット弁２２を開弁状態にすることができる。また、ＶｉＳ，ＶｉＣ，ＶｉＯのいずれか、または、ＶｏＳ，ＶｏＣ，ＶｏＯのいずれかの故障時でも、閉弁用圧力室５０内の圧力がコイルばね７８（図２、図３）の弾力に打ち勝つほどの高圧ではない場合等には、コイルばね７８の弾力により、入口シャット弁２０および出口シャット弁２２を開弁状態にできる。すなわち、入口シャット弁２０および出口シャット弁２２の圧力制御用の弁であるＰＳＶの故障時でも、入口シャット弁２０および出口シャット弁２２を開弁状態にしやすくできる。このため、燃料電池システム１０が流路内の圧力の異常上昇により制限圧力を超え、運転停止になることを防止できる。
【００７４】
また、加湿器バイパス弁１８をノーマルクローズ型としているため、ＶｂＳ，ＶｂＣ，ＶｂＯの故障時でも、加湿器バイパス弁１８をコイルばねの弾力により閉弁状態に維持できて、燃料電池システム１０の運転時に過度に乾燥した空気が燃料電池スタック１２に導入され、燃料電池スタック１２内部の加湿不足により発電性能が低下するのを防止できる。
【００７５】
また、本実施の形態の場合には、制御部は、燃料電池スタック１２の発電停止指令を受けた後において、燃料電池スタック１２にエアコンプレッサ２４から加湿器バイパス経路３２を通じて空気を供給して掃気処理を行うようにエアコンプレッサ２４の作動を制御し、さらに、加湿器バイパス弁１８の圧力を、ＶｂＳ，ＶｂＣ，ＶｂＯの３個のＰＳＶにより制御する掃気処理制御手段を有する。この場合、本経路３０に設けた入口シャット弁２０は閉弁したままの状態とする。これにより、燃料電池スタック１２内に存在する水分を、エアコンプレッサ２４からの空気により外部に排出できる。このため、発電停止の放置中に燃料電池スタック１２内の水分が凍結して、発電運転を再開しようとする場合にガスが燃料電池スタック１２内に良好に供給されず、正常な発電運転が行えなくなることを、より有効に防止できる。
【００７６】
また、掃気処理制御手段は、掃気処理時に、氷点下での凍結等による加湿器バイパス弁１８の故障により、加湿器バイパス弁１８が開弁されない場合に、上記の図５に示したように入口シャット弁２０を閉弁状態から開弁状態にするように、ＶｉＣを制御し、本経路３０を通じて燃料電池スタック１２に空気を供給する機能も有する。このような加湿器バイパス弁１８の故障を判定するために、掃気処理制御手段は、燃料電池スタック１２の発電停止処理時に掃気処理を行う際に、入口圧力センサＰ１の圧力検出値を監視する。そして、監視した圧力検出値が予め設定した所定の圧力閾値以上に上昇した場合に、加湿器バイパス弁１８が閉状態の故障であると判定する。この様な故障判定は、エアコンプレッサ２４の吐出流量を図示しないエアフローメータにより監視しながら行う。そして、加湿器バイパス弁１８が故障であると判定されたならば、掃気処理制御手段は、入口シャット弁２０が開状態になるようにＶｉＣを制御する。これにより、エアコンプレッサ２４からの空気が本経路３０を通じて燃料電池スタック１２に導入され、燃料電池スタック１２内の水分が掃気される。このような構成により、エアコンプレッサ２４の吐出圧が異常に上昇して、燃料電池システム１０が異常停止する不都合をなくせる。
【００７７】
なお、本経路３０を通じて掃気処理のための空気を燃料電池スタック１２に導入する場合には、本経路３０の途中に加湿器２８を設けているため、掃気処理に通常の掃気処理の場合よりも時間を要する可能性がある。ただし、この場合でも、燃料電池システム１０の流路内の圧力が異常に上昇して停止することを防止できるので優れた効果を得られる。
【００７８】
さらに、掃気処理制御手段は、掃気処理時に、燃料電池バイパス経路３６に設けた電磁弁である、燃料電池バイパス弁３８を開閉制御することもできる。すなわち、掃気処理制御手段は、掃気処理時に、燃料電池バイパス弁３８を半開とする等の一定開度の開弁状態としながら、加湿器バイパス弁１８を通じてエアコンプレッサ２４からの空気を燃料電池スタック１２に導入する構成とすることもできる。この場合、加湿器バイパス弁１８が閉状態の故障である場合でも、エアコンプレッサ２４の吐出圧が異常に上昇するのを防止して、燃料電池システム１０が異常に停止するのを防止できる。そして、エアフローメータの流量検出値を監視しながら、入口圧力センサＰ１の圧力検出値を監視して、圧力検出値が予め設定した所定の圧力閾値以上に上昇した場合に、加湿器バイパス弁１８が閉状態の故障であると判定する。そして、加湿器バイパス弁１８が故障であると判定されたならば、掃気処理制御手段は、入口シャット弁２０が開状態になるようにＶｉＣを制御する。また、掃気処理制御手段は、エアコンプレッサ２４の作動を停止した状態、すなわち、掃気処理終了後に、燃料電池バイパス弁３８を閉弁する。
【００７９】
［第２の発明の実施の形態］
図６は、本発明の第２の実施の形態の燃料電池システムを構成する入口シャット弁２０Ａ（出口シャット弁２２Ａ）を開弁状態で示す断面図である。図６に示すように、入口シャット弁２０Ａ（出口シャット弁２２Ａ）は、弁体５８を鉛直方向（図６の上下方向）に対し傾斜させ、弁体５８の駆動方向を鉛直方向に対し傾斜した方向としている。これに伴って、ハウジング４２Ａの上側部分は、全体を鉛直方向に対し傾斜させている。
【００８０】
さらに、以下、入口シャット弁２０Ａにより主に代表して説明するが、ハウジング４２Ａにおいて、流路構成圧力室５６のガス上流側（図６の左側）とガス下流側（図６の右側）とに、入口側接続部８６と出口側接続部８８とを設けている。入口側接続部８６は、全体を鉛直方向に対し傾斜させるとともに、接続側端部の接続面９０が水平方向に向くようにしている。また、出口側接続部８８は、弁体５８側を鉛直方向に対し傾斜させ、接続側端部を接続面９０が水平方向に向くようにしている。
【００８１】
また、入口側接続部８６と出口側接続部８８とに接続した２本の配管９２を、少なくとも接続部の周辺部で水平方向に配置するとともに、２本の配管９２の下面を、水平方向の単一の仮想平面α上に位置させている。さらに、入口シャット弁２０の弁体本体６２と弁座８０との互いに押し付け合う面Ａ，Ｂを鉛直方向に対し傾斜させるとともに、押し付け面Ａ，Ｂを、流路構成圧力室５６内を流れるガスの上流側で低く、ガスの下流側で高くなるようにしている。弁体５８が下方に駆動されると、弁体本体６２は弁座８０に押し付けられる。
【００８２】
なお、出口シャット弁２２の場合には、入口シャット弁２０に対して入口８２、出口８４が逆になる。すなわち、出口シャット弁２２の場合には、押し付け面Ａ，Ｂが流路構成圧力室５６内を流れるガスの上流側で高く、ガスの下流側で低くなる。また、加湿器バイパス弁１８も入口シャット弁２０と同様の構成として、入口８２、出口８４も入口シャット弁２０と同じ側とする。
【００８３】
このような入口シャット弁２０、出口シャット弁２２、加湿器バイパス弁１８を使用する本実施の形態によれば、弁体本体６２と弁座８０との押し付け面Ａ，Ｂを鉛直方向に対し傾斜させているため、流路構成圧力室５６を流れるガス中に水や水蒸気から液化した水が弁座８０の押し付け面Ａ，Ｂに付着した場合でも、この水を押し付け面Ａ，Ｂに沿って落下させることができる。このため、氷点下等の低温環境で使用したり、放置する場合でも、各弁２０，２２，１８の弁体５８と弁座８０とが凍結により固着して駆動停止する事態を発生しにくくできる。
その他の構成および作用については、上記の第１の実施の形態と同様であるため、同等部分には同一符号を付して重複する図示ならびに説明を省略する。
【００８４】
［第３の発明の実施の形態］
次に、図７は、本発明の第３の実施の形態の燃料電池システムにおいて、起動制御方法を示すフローチャートである。本実施の形態の場合、燃料電池システムの構成自体は、上記の図１から図５に示した第１の実施の形態の場合とほぼ同様であるため、以下、図１から図５と同等部分の構成については、同一の符号を用いて説明する。本実施の形態は、燃料電池システム１０の発電起動時において、加湿器バイパス弁１８と入口シャット弁２０とのうち、一方の弁の故障時に、他方の弁を開弁し、他方の弁が設けられた流路を通じて燃料電池スタック１２に空気を供給するようにしている。
【００８５】
まず、発電起動時に加湿器バイパス経路３２と本経路３０とのうち、加湿器バイパス経路３２のみを通じて燃料電池スタック１２に空気を供給し、所定時間経過後に、加湿器バイパス経路３２と本経路３０とのうち、本経路３０のみを通じて燃料電池スタック１２に空気を供給して、発電する場合について説明する。なお、このように発電起動時に最初に加湿器バイパス経路３２を通じて燃料電池スタック１２に空気を供給するのは、起動時に加湿器２８を通過した空気を燃料電池スタック１２に供給すると、燃料電池スタック１２の温度が低い場合に内部に水が過度に溜まり、発電が阻害される可能性があるためである。このために、上記のように、発電起動時に最初に加湿器バイパス経路３２を通じて燃料電池スタック１２に乾燥した空気を供給することにより、燃料電池スタック１２内に水が過度に溜まることをより有効に防止して、発電性能をより有効に確保できるようにする。
【００８６】
図１と図７とを参照しつつ、本実施の形態により、発電起動時に燃料電池スタック１２に空気を供給する場合の起動制御方法を説明する。まず、ステップＳ１で、イグニッションキーのオン等により、燃料電池システム１２に起動指令が送られると、制御部は、加湿器バイパス弁１８の開弁指令に基づいて、加湿器バイパス弁１８を開弁するように、ＶｂＳ，ＶｂＣ，ＶｂＯを開閉制御する指令信号を出す。すなわち、ＶｂＳ、ＶｂＣを通電状態とするための指令信号を出す。
【００８７】
次いで、ステップＳ２において、燃料電池バイパス弁３８を半開（例えば５０％の開度）等、一定の開度に開弁して、エアコンプレッサ２４を作動し、圧力上昇した空気を送り出す。次いで、ステップＳ３において、エアコンプレッサ２４の出口に位置する入口圧力センサＰ１の圧力検出値を監視しながら、エアコンプレッサ２４による空気の吐出流量（送量）が設定値の例えば８０％に達し、それに達してからｔ１secの所定時間待機し、安定待ちを行う。エアコンプレッサ２４による空気の吐出流量は、図示しないエアフローメータにより監視する。
【００８８】
そして、ステップＳ４において、ステップＳ３の安定待ち時間中に、入口圧力センサＰ１の圧力検出値が、予め設定した圧力閾値Ｐｓ以上になり、予め設定した継続時間ｔ２、例えば数百ｍsecを経過したか否かを判定する。ステップＳ４で、肯定（ｙｅｓ）の判定結果が得られた場合には、加湿器バイパス弁１８が正常に開弁していない故障状態であると判定して、ステップＳ６で入口シャット弁２０の開弁指令を出す。この開弁指令が出された後には、ステップＳ５で、通常の起動シーケンス処理に移行する。これにより、エアコンプレッサ２４から吐出された空気が本経路３０を通じて燃料電池スタック１２に供給され、発電が開始される。
【００８９】
これに対して、ステップＳ４で、否定（ｎｏ）の判定結果が得られた場合には、加湿器バイパス弁１８が正常に開弁していると判定して、ステップＳ５で、通常の起動シーケンス処理に移行し、エアコンプレッサ２４から吐出された空気を、加湿器バイパス経路３２を通じて燃料電池スタック１２に供給し、発電を開始する。このように本実施の形態の場合には、加湿器バイパス弁１８の故障を、圧力検出手段である入口圧力センサＰ１に検知した圧力検出値から検知する。
【００９０】
このような本実施の形態の場合、制御部は、始動時において、入口シャット弁２０と加湿器バイパス弁１８とのうち、一方の弁である、加湿器バイパス弁１８に異常が発生したことが検知された場合に、他方の弁である入口シャット弁２０を開弁し、本経路３０を通じて燃料電池スタック１２に空気を供給する構成を備えるので、加湿器バイパス弁１８の故障にかかわらず、燃料電池システム１０の発電運転を行える。
【００９１】
なお、上記の説明においては、発電起動時に加湿器バイパス経路３２と本経路３０とのうち、先に加湿器バイパス経路３２のみを通じて燃料電池スタック１２に空気を供給して、発電する場合について説明した。ただし、本実施の形態は、このような場合に限定するものではなく、発電起動時に、入口シャット弁２０と加湿器バイパス弁１８とのうち、先に入口シャット弁２０のみを開弁して本経路３０を通じて燃料電池スタック１２に空気を供給する場合でも実施できる。この場合、ステップＳ１において、入口シャット弁２０の開弁指令を出し、ステップＳ４において肯定の判定結果が得られた場合には、入口シャット弁２０に故障が生じたと判定して、ステップＳ６で加湿器バイパス弁１８の開弁指令を出す。そして、加湿器バイパス経路３２を通じて燃料電池スタック１２に空気を供給し、発電を開始する。
その他の構成および作用については、上記の図１から図５に示した第１の実施の形態と同様であるため、重複する説明ならびに図示は省略する。
【００９２】
［第４の発明の実施の形態］
次に、図８は、本発明の第４の実施の形態の燃料電池システムにおいて、起動制御方法を示すフローチャートである。本実施の形態の場合も、上記の図７に示した第３の実施の形態の場合と同様に、燃料電池システムの構成自体は、上記の図１から図５に示した第１の実施の形態の場合とほぼ同様である。このため、以下、図１から図５と同等部分の構成については、同一の符号を用いて説明する。本実施の形態の場合も、上記の第３の実施の形態の場合と同様に、燃料電池システム１０の発電起動時において、加湿器バイパス弁１８と入口シャット弁２０とのうち、一方の弁の故障時に、他方の弁を開弁し、他方の弁が設けられた流路を通じて燃料電池スタック１２に空気を供給するようにしている。
【００９３】
また、本実施の形態の場合も、発電起動時に加湿器バイパス経路３２と本経路３０とのうち、先に加湿器バイパス経路３２のみを通じて燃料電池スタック１２に空気を供給し、所定時間経過後に、加湿器バイパス経路３２と本経路３０とのうち、本経路３０のみを通じて燃料電池スタック１２に空気を供給して、発電する。
【００９４】
特に、本実施の形態の場合には、加湿器バイパス弁１８または入口シャット弁２０の故障を判定するために、加湿器バイパス弁１８または入口シャット弁２０を駆動するために設けられた電磁弁であるＰＳＶ，すなわち、ＶｂＳ，ＶｂＣ，ＶｂＯ，ＶｉＳ，ＶｉＣ，ＶｉＯの状況から、加湿器バイパス弁１８または入口シャット弁２０の故障を検知する。また、本実施の形態の場合には、加湿器バイパス弁１８または入口シャット弁２０の駆動用のＰＳＶ、すなわち、ＶｂＳ，ＶｂＣ，ＶｂＯのそれぞれと電源とをつなぐ電源線の少なくともいずれか１の電源線、または、ＶｉＳ，ＶｉＣ，ＶｉＯのそれぞれと電源とをつなぐ電源線の少なくともいずれか１の電源線の短絡または断線を検出するための電源線異常検出手段を設けている。
【００９５】
電源線異常検出手段は、例えば、制御部であるＥＣＵに組み込んだ電源線異常検出回路である。電源線異常検出回路は、電源線の短絡または断線である異常を検出し、制御部は、この異常を表す検出信号に応じて、入口シャット弁２０駆動用のＰＳＶ、または、加湿器バイパス弁１８駆動用のＰＳＶを開閉制御する。
【００９６】
図１と図８とを参照しつつ、本実施の形態により、発電起動時に燃料電池スタック１２に空気を供給する場合の起動制御方法を説明する。まず、ステップＳ１で、イグニッションキーのオン等により、燃料電池システム１０に起動指令が送られると、制御部は、加湿器バイパス弁１８の開弁指令に基づいて、加湿器バイパス弁１８を開弁するように、ＶｂＳ，ＶｂＣ，ＶｂＯを開閉制御する指令信号を出す。すなわち、ＶｂＳ、ＶｂＣを通電状態とするための指令信号を出す。
【００９７】
次いで、ステップＳ２において、ステップＳ１のＶｂＳ，ＶｂＣ，ＶｂＯを開閉制御する指令信号を正常に出せない、すなわち、電源線異常検出手段により、ＶｂＳ，ＶｂＣ，ＶｂＯのいずれかと電源とをつなぐ電源線の短絡、断線等による異常が検出されたか否かを判定する。この判定により、異常が検出されたと判定された場合には、ステップＳ３において、起動シーケンスを切り替える。すなわち、制御部は、入口シャット弁２０を開弁するように、入口シャット弁２０駆動用のＰＳＶである、ＶｉＳ，ＶｉＣ，ＶｉＯを開閉制御する。これにより、エアコンプレッサ２４から吐出された空気が本経路３０を通じて燃料電池スタック１２に供給され、発電が開始される。
【００９８】
これに対して、ステップＳ２で、電源線の異常が検出されないと判定された場合には、加湿器バイパス弁１８が正常に開弁していると判定して、ステップＳ４で、通常の起動シーケンス処理に移行し、エアコンプレッサ２４から吐出された空気を、加湿器バイパス経路３２を通じて燃料電池スタック１２に供給し、発電を開始する。
【００９９】
このような本実施の形態の場合も、制御部は、始動時において、入口シャット弁２０と加湿器バイパス弁１８とのうち、一方の弁である、加湿器バイパス弁１８に異常が発生したことが検知された場合に、他方の弁である入口シャット弁２０を開弁し、本経路３０を通じて燃料電池スタック１２に空気を供給する構成を備えるので、加湿器バイパス弁１８の故障にかかわらず、燃料電池システム１０の発電運転を行える。
【０１００】
なお、上記の説明においては、発電起動時に加湿器バイパス経路３２と本経路３０とのうち、先に加湿器バイパス経路３２のみを通じて燃料電池スタック１２に空気を供給して、発電する場合について説明した。ただし、本実施の形態も、このような場合に限定するものではなく、発電起動時に、入口シャット弁２０と加湿器バイパス弁１８とのうち、先に入口シャット弁２０を開弁して本経路３０を通じて燃料電池スタック１２に空気を供給する場合でも実施できる。この場合、ステップＳ１において、入口シャット弁２０の開弁指令を出し、ステップＳ４において入口シャット弁２０駆動用のＰＳＶの電源線の短絡または断線が判定された場合には、入口シャット弁２０に故障が生じたと判定して、ステップＳ３で加湿器バイパス弁１８の開弁指令を出す。そして、加湿器バイパス経路３２を通じて燃料電池スタック１２に空気を供給し、発電を開始する。
その他の構成および作用については、上記の図１から図５に示した第１の実施の形態と同様であるため、重複する説明ならびに図示は省略する。
【図面の簡単な説明】
【０１０１】
【図１】本発明の第１の実施の形態に係る燃料電池システムの基本構成を示す図である。
【図２】図１の燃料電池システムに使用する入口シャット弁（または出口シャット弁）の構造を、開弁状態で示す断面図である。
【図３】同じく閉弁状態で示す断面図である。
【図４】入口シャット弁を開弁状態から閉弁状態に移行する場合のＰＳＶの切り替えを説明するための略断面図である。
【図５】入口シャット弁を閉弁状態から開弁状態に移行する場合のＰＳＶの切り替えを説明するための略断面図である。
【図６】本発明の第２の実施の形態に係る燃料電池システムに使用する入口シャット弁（または出口シャット弁）の構造を、開弁状態で示す断面図である。
【図７】本発明の第３の実施の形態に係る燃料電池システムにおいて、起動制御方法を示すフローチャートである。
【図８】本発明の第４の実施の形態に係る燃料電池システムにおいて、起動制御方法を示すフローチャートである。
【符号の説明】
【０１０２】
１０  燃料電池システム、１２  燃料電池スタック、１４  酸化ガス供給流路、１６  酸化ガス系排出流路、１８  加湿器バイパス弁、２０，２０Ａ  入口シャット弁、２２，２２Ａ  出口シャット弁、２４  エアコンプレッサ、２６  インタークーラ、２８  加湿器、３０  本経路、３２  加湿器バイパス経路、３４  調圧弁、３６  燃料電池バイパス経路、３８  燃料電池バイパス弁、４０  圧力制御用流路、４２，４２Ａ  ハウジング、４４  仕切り部、４６  主ダイヤフラム、４８  副ダイヤフラム、５０  閉弁用圧力室、５２  開弁用圧力室、５４  大気圧室、５６  流路構成圧力室、５８  弁体、６０  駆動軸、６２  弁体本体、６３  駆動軸側円筒面部、６４  筒状部材、６６  ダイヤフラム側円筒部、６７  環状変形部、６８  ハウジング側円筒面部、７０  第２のダイヤフラム側円筒部、７２  大気連通管、７４  抑え部材、７６  給排管、７８  コイルばね、８０  弁座、８２  入口、８４  出口、８６  入口側接続部、８８  出口側接続部、９０  接続面、９２  配管。
【図１】
0005412712.tif 000002
【図２】
0005412712.tif 000003
【図３】
0005412712.tif 000004
【図４】
0005412712.tif 000005
【図５】
0005412712.tif 000006
【図６】
0005412712.tif 000007
【図７】
0005412712.tif 000008
【図８】
0005412712.tif 000009